(57)【要約】  【解決手段】  ヘッド本体、フェース板、ネックおよび被覆層により構成される。フェース板はヘッド本体に設けられて打球するのに用いられることができ、ネックはヘッド本体の一方に設けられ、ネックには小径部が形成され、小径部によりヘッド本体のネック側の重量を相対的に減らすことにより、ヘッド本体の重心を外および下へ移動させることができるため、ヘッド本体の慣性モーメントを増やすことができるように構成されている。  【効果】  被覆層は軽質材料により製成されてネックの小径部に被覆されることにより、ネックの構造の強度を強化することができると共に、打球時に生じた振動を吸収することができる。【選択図】        図１
2005074192.tif 000002
【特許請求の範囲】
【請求項１】
ヘッド本体（１０）、フェース板（１１）、ネック（１２）および被覆層（２０）により構成されるゴルフクラブヘッドの構造であって、フェース板（１１）はヘッド本体（１０）に設けられて打球するのに用いられることができ、ネック（１２）はヘッド本体（１０）の一方に設けられ、ネック（１２）には小径部（１２２）が形成され、小径部（１２２）によりヘッド本体（１０）のネック（１２）側の重量を相対的に減らすことにより、ヘッド本体（１０）の重心（１３）を外および下へ移動させることができるため、ヘッド本体（１０）の慣性モーメントを増やすことができ、被覆層（２０）は軽質材料により製成されてネック（１２）の小径部（１２２）に被覆されることにより、ネック（１２）の構造の強度を強化することができると共に、打球時に生じた振動を吸収することができることを特徴とするゴルフクラブヘッドの構造。
【請求項２】
ネック（１２）には他に結合孔（１２１）が設けられ、結合孔（１２１）によりヘッド（１）と結合することができることを特徴とする請求項１記載のゴルフクラブヘッドの構造。
【請求項３】
ネック（１２）の上端には他に半径方向で外へ延伸して環状フランジ（１２３）が形成され、環状フランジ（１２３）により結合孔（１２１）とシャフトとの結合の安定性を増やすことができることを特徴とする請求項２記載のゴルフクラブヘッドの構造。
【請求項４】
ネック（１２）の小径部（１２２）の表面には他に複数個の突出部（１２４）が突き出るように設けられ、突出部（１２４）により小径部（１２２）が被覆層（２０）を被覆する結合の安定性を増やすことができることを特徴とする請求項１記載のゴルフクラブヘッドの構造。
【請求項５】
ネック（１２）の小径部（１２２）の表面には他に複数個の凹欠部（１２５）が凹むように設けられ、凹欠部（１２５）により小径部（１２２）が被覆層（２０）を被覆する結合の安定性を増やすことができることを特徴とする請求項１記載のゴルフクラブヘッドの構造。
【請求項６】
ネック（１２）の小径部（１２２）の底端縁には他に円錐形環状溝（１２６）が凹むように設けられ、円錐形環状溝（１２６）により小径部（１２２）が被覆層（２０）を被覆する結合の安定性を増やすことができることを特徴とする請求項１記載のゴルフクラブヘッドの構造。
【請求項７】
ネック（１２）の小径部（１２２）はヘッド本体（１０）のフェース板（１１）に向かって延伸するように形成されることにより、小径部（１２２）の区域を拡大することができるため、ネック（１２）が占める重量をさらに減らすことができることを特徴とする請求項１記載のゴルフクラブヘッドの構造。
【請求項８】
小径部（１２２）はフェース板（１１）が接合する境界まで延伸するように形成されることを特徴とする請求項７記載のゴルフクラブヘッドの構造。
【請求項９】
小径部（１２２）とフェース板（１１）との接合の境界には他に環状凹欠溝（１２７）が凹むように設けられ、環状凹欠溝（１２７）により小径部（１２２）が被覆層（２０）を被覆する結合の安定性を増やすことができることを特徴とする請求項８記載のゴルフクラブヘッドの構造。
【請求項１０】
ネック（１２）と小径部（１２２）は精密鋳造、鋳造、機械加工、圧力鋳造、鍛造、射出成形、分段接合などの方式によりヘッド（１）に形成されることを特徴とする請求項１記載のゴルフクラブヘッドの構造。
【請求項１１】
上記軽質材料はカーボン、樹脂、ゴム、高分子化合材料、チタン合金、アルミ合金、マグネシウム合金、軽質合金から選ぶことができることを特徴とする請求項１記載のゴルフクラブヘッドの構造。
【請求項１２】
被覆層（２０）はホットプレス、射出成形の方式により小径部（１２２）に被覆されることを特徴とする請求項１記載のゴルフクラブヘッドの構造。
【発明の詳細な説明】
【技術分野】
【０００１】
本発明は、ゴルフクラブヘッドの構造に関するもので、特にネックの重量を減らすことにより、重心を調整し、慣性モーメントを増やし、打球の性能を高め、さらに振動を吸収することができるゴルフクラブヘッドの構造に係るものである。
【背景技術】
【０００２】
従来のゴルフクラブヘッドの構造としては、図１０に示すように、金属材質からなるヘッド１が製成され、ヘッド１にはヘッド本体１０、フェース板１１とネック１２が設けられ、フェース板１１は打球するのに用いられ、ネック１２はシャフト（図示せず）と結合するのに用いられるようにとしたものがある。
【０００３】
また、従来のゴルフクラブヘッドの構造としては、図１１に示すように、ネック１２とヘッド本体１０の間のヒール部（heel）の下方には凹欠部１０１が形成されるため、ネック１２側の重量を相対的に減らすことができる。そしてヘッド１の重心１３はネック１２のトウ部（toe）へ移動し（すなわち、ヒール部１２に対して外への移動）、それによりヘッド１の慣性モーメントを相対的に増やすことができるため、打球の性能（打球の飛距離）を増やすことができるようにとしたものがある（例えば、特許文献１を参照）。
【特許文献１】アメリカ特許番号第４，９９５，６０９号
【発明の開示】
【発明が解決しようとする課題】
【０００４】
上記のような従来のゴルフクラブヘッドの構造においては、ネック１２が占める重量が大き過ぎるため、ヘッド１の重心１３はネック１２側に近過ぎることにより、フェース板１１の主な打球ゾーンから離れてしまう。その結果、ヘッド１の慣性モーメントは減らされ、またヘッド１が打球時における抗ねじれ性も弱くなり、さらにヘッド１から球体までの打球応力の移転の効率も減らされるため、ヘッド１の打球の性能に大きな影響を及ぼしてしまうという問題点があった。
【０００５】
また、上記のような従来のゴルフクラブヘッドの構造においては、ヘッド１に凹欠部１０１が設けられて重心１３が外への移動に役立つことができるが、凹欠部１０１によりヒール部の構造の強度が低くなり易くなる。さらに、凹欠部１０１はヒール部の下方に形成されるため、ヘッド１の下半部の重量を減らしてしまうため、ヘッド１の重心１３が外へ移動すると同時に、上へ移動してしまうため、フェース板１１の主な打球ゾーンに対して重心１３が高くなる。その結果、ヘッド１に凹欠部１０１を設置することにより打球の性能と慣性モーメントの増加に実質に改善することができないだけではなく、反対にヘッド１が断裂したり湾曲して変形してしまうという問題点があった。このように、上記のような従来のゴルフクラブヘッドの構造をさらに改良しなければならない。
【０００６】
本発明はこのような問題点に鑑みて発明したものであって、その目的とするところは、ヘッドのネックに小径部を形成させ、小径部によりネックが占める重量を減らすことができるため、ヘッドの重心を外および下へ移動させることにより、慣性モーメントを増やすと同時に、小径部には他に軽質材料からなる被覆層が被覆されることができることにより、構造の強度を強化すると共に、打球の振動を吸収することができるため、ヘッドの構造の強度に影響を及ぼさない状態でヘッドの慣性モーメント、打球の性能と振動の吸収性をさらに増やすことができるゴルフクラブヘッドの構造を提供しようとするものである。
【０００７】
本発明の第一の目的は、ヘッドのネックに小径部を形成させ、小径部によりネックが占める重量を軽く減らし、さらにヘッドの重心を外および下へ移動させることにより、ヘッドの慣性モーメントと打球の性能を高めることができるゴルフクラブヘッドの構造を提供しようとするものである。
【０００８】
本発明の第二の目的は、ヘッドのネックに小径部を形成させ、小径部は軽質材料からなる被覆層が被覆されることにより、振動の吸収性を高めることができると共に、構造の強度を高めることができるゴルフクラブヘッドの構造を提供しようとするものである。
【０００９】
本発明の第三の目的は、ヘッドのネックに小径部を形成させ、小径部は重心の需要性に応じてヘッドのフェース板に向かって延伸する長さを調整することができるため、重心の調整の自由度を増やすことができるゴルフクラブヘッドの構造を提供しようとするものである。
【課題を解決するための手段】
【００１０】
上記目的を達成するために、本発明によるゴルフクラブヘッドの構造は、下記のようになるものである。すなわち、
ヘッド本体、フェース板、ネックおよび被覆層により構成される。フェース板はヘッド本体に設けられて打球するのに用いられることができる。ネックはヘッド本体の一方に設けられ、ネックには小径部が形成され、小径部によりヘッド本体のネック側の重量を相対的に減らすことにより、ヘッド本体の重心を外および下へ移動させることができるため、ヘッド本体の慣性モーメントを増やすことができる。被覆層は軽質材料により製成されてネックの小径部に被覆されることにより、ネックの構造の強度を強化することができると共に、打球時に生じた振動を吸収することができる。
【００１１】
本発明によるゴルフクラブヘッドの構造は、ネックには他に結合孔が設けられ、結合孔によりヘッドと結合することもできる。また、ネックの上端には他に半径方向で外へ延伸して環状フランジが形成され、環状フランジにより結合孔とシャフトとの結合の安定性を増やすこともできる。また、ネックの小径部の表面には他に複数個の突出部が突き出るように設けられ、突出部により小径部が被覆層を被覆する結合の安定性を増やすこともできる。また、ネックの小径部の表面には他に複数個の凹欠部が凹むように設けられ、凹欠部により小径部が被覆層を被覆する結合の安定性を増やすこともできる。また、ネックの小径部の底端縁には他に円錐形環状溝が凹むように設けられ、円錐形環状溝により小径部が被覆層を被覆する結合の安定性を増やすこともできる。また、ネックの小径部はヘッド本体のフェース板に向かって延伸するように形成されることにより、小径部の区域を拡大することができるため、ネックが占める重量をさらに減らすこともできる。また、小径部はフェース板が接合する境界まで延伸するように形成されることもできる。また、小径部とフェース板との接合の境界には他に環状凹欠溝が凹むように設けられ、環状凹欠溝により小径部が被覆層を被覆する結合の安定性を増やすこともできる。また、ネックと小径部は精密鋳造、鋳造、機械加工、圧力鋳造、鍛造、射出成形、分段接合などの方式によりヘッドに形成されることもできる。また、上記軽質材料はカーボン、樹脂、ゴム、高分子化合材料、チタン合金、アルミ合金、マグネシウム合金、軽質合金から選ぶこともできる。また、被覆層はホットプレス、射出成形の方式により小径部に被覆されることもできる。
【発明の効果】
【００１２】
本発明のゴルフクラブヘッドの構造によれば、ヘッドのネックに小径部を形成させ、小径部によりネックが占める重量を軽く減らし、さらにヘッドの重心を外および下へ移動させることにより、ヘッドの慣性モーメントと打球の性能を高めることができるという利点がある。
【００１３】
本発明のゴルフクラブヘッドの構造によれば、ヘッドのネックに小径部を形成させ、小径部は軽質材料からなる被覆層に被覆されることにより、振動の吸収性を高めることができると共に、構造の強度を高めることができるという利点がある。
【００１４】
本発明のゴルフクラブヘッドの構造によれば、ヘッドのネックに小径部を形成させ、小径部は重心の需要性に応じてヘッドのフェース板に向かって延伸する長さを調整することができるため、重心の調整の自由度を増やすことができるという利点がある。
【発明を実施するための最良の形態】
【００１５】
本発明の実施の形態について、以下、図面を参照して説明する。
【００１６】
図１は本発明の実施例１のゴルフクラブヘッドの構造が被覆層を被覆していない状態の正面図で、図２は本発明の実施例１のゴルフクラブヘッドの構造による組み立てられた状態の正面図で、図３は本発明の実施例２のゴルフクラブヘッドの構造による組み立てられた状態の正面図で、図４は本発明の実施例３のゴルフクラブヘッドの構造による組み立てられた状態の正面図で、図５は本発明の実施例４のゴルフクラブヘッドの構造による組み立てられた状態の正面図で、図６は本発明の実施例５のゴルフクラブヘッドの構造による組み立てられた状態の正面図で、図７は本発明の実施例６のゴルフクラブヘッドの構造による組み立てられた状態の正面図で、図８は本発明の実施例７のゴルフクラブヘッドの構造による組み立てられた状態の正面図で、図９は本発明の実施例８のゴルフクラブヘッドの構造による組み立てられた状態の正面図である。
【実施例１】
【００１７】
図１、２を参照すると、本発明の実施例１のゴルフクラブヘッドの構造のヘッド１は金属、合金材質により製成され、ヘッド１にはヘッド本体１０、フェース板１１、ネック１２と被覆層２０が含まれる。フェース板１１は打球するのに用いられることができる。フェース板１１は一体成形になるようにヘッド本体１０に成形され、または使用上の需要性に応じて例えば嵌設、圧合、ろう付け、溶接、螺設などの方式によりヘッド本体１０に結合されることができる。ネック１２には結合孔１２１と小径部１２２が形成され、結合孔１２１はシャフト（図示せず）が結合するのに用いられることができる。小径部１２２によりネック１２の体積と重量を減らすことができるため、ヘッド１のネック１２側の重量を相対的に低くすることができ、さらにヘッド１の上半部が占める重量を相対的に減らすことができる。このため、ヘッド１の重心１３はネック１２に対して外および下へ移動するように形成されると共に、ヘッド１の慣性モーメントを相対的に増やすことができることにより、ヘッド１の打球の性能（打球飛距離）を有効に高めることができる。さらに、ネック１２は使用上の需要性に応じて例えば精密鋳造、鋳造、機械加工、圧力鋳造、鍛造、射出成形などの方式により一体成形になるようにヘッド本体１０の片側に成形することができ、または分段接合の方式によりヘッド本体１０に結合することができる。
【００１８】
再び図２を参照すると、被覆層２０は適当な軽質材料を小径部１２２に被覆し結合してなるものである。上記軽質材料は好ましくはカーボン、樹脂、ゴム、高分子化合材料または軽質合金（例えばチタン合金、アルミ合金、マグネシウム合金）から選ぶことができ、さらにホットプレス、圧力鋳造または射出成形などの方式により上記軽質材料を小径部１２２に被覆させる。被覆層２０によりネック１２の小径部１２２の構造の強度を強化することができるだけではなく、さらに打球時において被覆層２０によりヘッド１のネック１２側の抵抗値を相対的に高めることができることにより、フェース板１１の打球応力に影響を及ぼさない状態で打球時に生じた振動を吸収することができるため、打球時の安定性を高めることができると共に、握り心地もよくなる。
【実施例２】
【００１９】
図３を参照すると、本発明の実施例２のゴルフクラブヘッドの構造が掲示される。実施例１と比較して、実施例２のネック１２の上端には他に半径方向で外へ延伸して環状フランジ１２３が形成される。これにより、シャフトと結合する時、環状フランジ１２３によりネック１２の結合孔１２１とシャフトとの結合の安定性と信頼性を増やすことができる。
【実施例３】
【００２０】
図４を参照すると、本発明の実施例３のゴルフクラブヘッドの構造が掲示される。実施例１、２と比較して、実施例３のネック１２の小径部１２２の表面にはさらに複数個の突出部１２４が突き出るように設けられる。突出部１２４の断面は環状、円形、長条形などの各種の幾何形状に形成されることができる。これにより、被覆を行って被覆層２０が形成された時、突出部１２４により小径部１２２と被覆層２０との結合の安定性と信頼性を増やすことができる。
【実施例４】
【００２１】
図５を参照すると、本発明の実施例４のゴルフクラブヘッドの構造が掲示される。実施例１、２、３と比較して、実施例４のネック１２の小径部１２２の表面にはさらに複数個の凹欠部１２５が凹むように設けられる。凹欠部１２５の断面は環状、円形、長条形などの各種の幾何形状に形成されることができる。これにより、被覆を行って被覆層２０が形成された時、凹欠部１２５により小径部１２２と被覆層２０との結合の安定性と信頼性を増やすことができる。
【実施例５】
【００２２】
図６を参照すると、本発明の実施例５のゴルフクラブヘッドの構造が掲示される。実施例１、２、３、４と比較して、実施例５のネック１２の小径部１２２はさらにフェース板１１に向かって延伸するように形成されることにより、小径部１２２の区域を拡大することができるため、ネック１２が占める重量をさらに減らすことができる。これにより、ヘッド１の重心１３の外への移動距離と慣性モーメントをさらに増やすことができる。また、通常として、小径部１２２は製品の使用上の需要性に応じて延伸する長さを調整することができ、さらに小径部１２２は最大としてフェース板１１の境界まで延伸することができる。これにより、本発明において製造時におけるヘッド１の重心の調整自由度を増やすことができる。
【実施例６】
【００２３】
図７を参照すると、本発明の実施例６のゴルフクラブヘッドの構造が掲示される。実施例５と比較して、実施例６のネック１２の上端にもさらに半径方向で外へ延伸して環状フランジ１２３が形成され、環状フランジ１２３によりネック１２の結合孔１２１とシャフトとの結合の安定性と信頼性を増やすことができる。また、小径部１２２にも例えば複数個の突出部１２４または複数個の凹欠部１２５（図４、５を參照）を設置することができるため、小径部１２２と被覆層２０との結合の安定性と信頼性を増やすことができる。
【実施例７】
【００２４】
図８を参照すると、本発明の実施例７のゴルフクラブヘッドの構造が掲示される。実施例１、２、３、４と比較して、実施例７のネック１２の小径部１２２の底端縁にはさらに円錐形環状溝１２６が凹むように設けられる。これにより、被覆を行って被覆層２０が形成された時、円錐形環状溝１２６により小径部１２２と被覆層２０との結合の安定性と信頼性を増やすことができる。
【実施例８】
【００２５】
図９を参照すると、本発明の実施例８のゴルフクラブヘッドの構造が掲示される。実施例５、６と比較して、実施例８のネック１２の小径部１２２はフェース板１１との境界においてさらに環状凹欠溝１２７が凹むように設けられるため、環状凹欠溝１２７により小径部１２２と被覆層２０との結合の安定性と信頼性を増やすことができる。
【産業上の利用可能性】
【００２６】
上述の如く、従来のゴルフクラブヘッドの構造によれば、ヘッド１の構造の強度に影響を及ぼさない状態でヘッドの重心の位置を同時に外および下へ調整することができないという問題点があったが、本発明のゴルフクラブヘッドの構造によれば、ネックに小径部を形成させ、そして小径部に被覆層を被覆させることにより、ヘッドの慣性モーメント、打球の性能、振動の吸収性、構造の強度および重心の調整の自由度をさらに増やすことができる。
【００２７】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２８】
【図１】本発明の実施例１のゴルフクラブヘッドの構造が被覆層を被覆していない状態の正面図である。
【図２】本発明の実施例１のゴルフクラブヘッドの構造による組み立てられた状態の正面図である。
【図３】本発明の実施例２のゴルフクラブヘッドの構造による組み立てられた状態の正面図である。
【図４】本発明の実施例３のゴルフクラブヘッドの構造による組み立てられた状態の正面図である。
【図５】本発明の実施例４のゴルフクラブヘッドの構造による組み立てられた状態の正面図である。
【図６】本発明の実施例５のゴルフクラブヘッドの構造による組み立てられた状態の正面図である。
【図７】本発明の実施例６のゴルフクラブヘッドの構造による組み立てられた状態の正面図である。
【図８】本発明の実施例７のゴルフクラブヘッドの構造による組み立てられた状態の正面図である。
【図９】本発明の実施例８のゴルフクラブヘッドの構造による組み立てられた状態の正面図である。
【図１０】従来のゴルフクラブヘッドの構造による正面図である。
【図１１】従来のもう一つのゴルフクラブヘッドの構造による正面図である。
【符号の説明】
【００２９】
１    ヘッド                          １０    ヘッド本体
１１    フェース板                      １２    ネック
１２１    結合孔                        １２２    小径部
１２３    環状フランジ                  １２４    突出部
１２５    凹欠部                        １２６    円錐形環状溝
１２７    環状凹欠溝                      １３    重心
２０    被覆層
【図１】
2005074192.tif 000003
【図２】
2005074192.tif 000004
【図３】
2005074192.tif 000005
【図４】
2005074192.tif 000006
【図５】
2005074192.tif 000007
【図６】
2005074192.tif 000008
【図７】
2005074192.tif 000009
【図８】
2005074192.tif 000010
【図９】
2005074192.tif 000011
【図１０】
2005074192.tif 000012
【図１１】
2005074192.tif 000013